(57)【要約】【課題】変電所自動化システムの運用上、製造上の性能、効率を向上させる。【解決手段】実施形態によれば、変電所自動化システムは、サーバー装置と、前記サーバー装置が属するＬＡＮに接続される電子機器と、電子機器からサーバー装置が属するＬＡＮへの伝送路に設けられ、電子機器から伝送路を介してサーバー装置が属するＬＡＮに伝送されるデータを、サーバー装置が属するＬＡＮとは分離された別系統のＬＡＮへ伝送する信号処理装置とをもつ。【選択図】図１
2013243576.tif 000002
【特許請求の範囲】
【請求項１】
サーバー装置と、
前記サーバー装置が属するＬＡＮに接続される電子機器と、
前記電子機器から前記サーバー装置が属するＬＡＮへの伝送路に設けられ、前記電子機器から前記伝送路を介して前記サーバー装置が属するＬＡＮに伝送されるデータを、前記サーバー装置が属するＬＡＮとは分離された別系統のＬＡＮへ伝送する信号処理装置と
を備えたことを特徴とする変電所自動化システム。
【請求項２】
前記サーバー装置が属するＬＡＮから前記電子機器への伝送路に設けられ、前記別系統のＬＡＮに属する機器から前記電子機器への制御指令データを受信して前記電子機器へ伝送する第２の信号処理装置をさらに備えた
ことを特徴とする請求項１に記載の変電所自動化システム。
【請求項３】
前記信号処理装置は、
無線通信方式により、前記別系統のＬＡＮとの間でデータを伝送する
ことを特徴とする請求項１または２に記載の変電所自動化システム。
【請求項４】
サーバー装置と、
前記サーバー装置が属するＬＡＮに接続される電子機器と、
前記サーバー装置が属するＬＡＮから前記サーバー装置への伝送路に設けられ、前記電子機器から前記伝送路を介して前記サーバー装置に伝送されるデータを、前記サーバー装置が属するＬＡＮとは分離された別系統のＬＡＮへ伝送する信号処理装置と
を備えたことを特徴とする変電所自動化システム。
【請求項５】
前記サーバー装置から前記サーバー装置が属するＬＡＮへの伝送路に設けられ、前記別系統のＬＡＮに属する機器から前記電子機器への制御指令データを受信して前記電子機器へ伝送する第２の信号処理装置をさらに備えた
ことを特徴とする請求項４に記載の変電所自動化システム。
【請求項６】
サーバー装置と、
前記サーバー装置が属するＬＡＮに接続される電子機器と、
前記電子機器から前記サーバー装置が属するＬＡＮへの伝送路に設けられ、前記電子機器から前記伝送路を介して前記ＬＡＮ内の機器を宛先として伝送されるデータと同じデータを生成して、このデータを前記サーバー装置が属するＬＡＮとは分離された別系統のＬＡＮ内の機器を宛先として伝送する信号処理装置と
を備えたことを特徴とする変電所自動化システム。
【請求項７】
サーバー装置と、
前記サーバー装置が属するＬＡＮに接続される電子機器と、
前記電子機器と接続されて前記サーバー装置が属するＬＡＮ内に設けられ、前記電子機器から前記ＬＡＮ内の機器を宛先として伝送されるデータと同じデータを生成して、このデータを前記サーバー装置が属するＬＡＮとは分離された別系統のＬＡＮ内の機器を宛先としてさらに伝送する信号処理装置と
を備えたことを特徴とする変電所自動化システム。
【請求項８】
サーバー装置と、
前記サーバー装置が属するＬＡＮに接続される電子機器と、
前記サーバー装置と前記サーバー装置が属するＬＡＮと間の伝送路に設けられ、前記電子機器から前記ＬＡＮ内の機器を宛先として伝送されるデータと同じデータを生成して、このデータを前記サーバー装置が属するＬＡＮとは分離された別系統のＬＡＮ内の機器を宛先として伝送する信号処理装置と
を備えたことを特徴とする変電所自動化システム。
【請求項９】
サーバー装置と、
前記サーバー装置が属するＬＡＮに接続される電子機器と、
前記サーバー装置と接続されて前記サーバー装置が属するＬＡＮ内に設けられ、前記電子機器から前記ＬＡＮ内の機器を宛先として伝送されるデータと同じデータを生成して、このデータを前記サーバー装置が属するＬＡＮとは分離された別系統のＬＡＮ内の機器を宛先として伝送する信号処理装置と
を備えたことを特徴とする変電所自動化システム。
【請求項１０】
前記信号処理装置は、
前記別系統のＬＡＮに属する機器から前記電子機器を宛先として伝送される制御指令データを受信して前記電子機器へ伝送する
ことを特徴とする請求項６乃至９の何れかに記載の変電所自動化システム。
【請求項１１】
サーバー装置と、前記サーバー装置が属するＬＡＮに接続される電子機器とによって構成されるシステムによる変電所自動化方法であって、
前記電子機器から前記サーバー装置が属するＬＡＮへの伝送路に設けられ、前記電子機器から前記伝送路を介して前記サーバー装置が属するＬＡＮに伝送されるデータを、前記サーバー装置が属するＬＡＮとは分離された別系統のＬＡＮへ伝送する
ことを特徴とする変電所自動化方法。
【発明の詳細な説明】
【技術分野】
【０００１】
本発明の実施形態は、変電所内の一次機器およびそれらの制御機器、所内設備等の二次機器を監視制御する変電所自動化システムに関する。
【背景技術】
【０００２】
従来、現在の一般的な変電所自動化システム６０は、図２７に示すように、サーバーコンピュータ６３、その他のステーションレベル（Station level）機器（ＨＭＩ(Human Machine Interface)、サーバーコンピュータ、ゲートウェイ、プリンタ、ＧＰＳレシーバ等）６４とベイレベル（Bay level）機器であるＩＥＤ(Intelligent Electronic Device)６５およびこれらを接続する全二重通信方式ＬＡＮで構成されている。
【０００３】
ステーションレベル機器６４が接続されているＬＡＮをステーションＬＡＮ６２と称する。また、ベイレベル機器が接続されているＬＡＮをベイＬＡＮと称する。ステーションＬＡＮ６２内には、複数のＬＡＮスイッチ５３が設けられ、これらのＬＡＮスイッチ５３のそれぞれがサーバーコンピュータ６３やステーションレベル機器６４に接続される。
【０００４】
そして、ステーションＬＡＮ６２内の所定のＬＡＮスイッチ５３は、ベイＬＡＮにおける、ＩＥＤ側からみた送信線５５ａおよびＩＥＤ側からみた受信線５６ａを介してＩＥＤ６５に接続される。図２７に示した例では、１つのＬＡＮスイッチ５３に２つのＩＥＤ６５が接続される。
【０００５】
前述したＨＭＩとは、変電所自動化システム６０のサーバーコンピュータ６３上、或いはこれに接続される図示しないワークステーション上でオペレータが所内機器の監視制御作業を行なうための装置である。
【０００６】
ＩＥＤ６５は、変電所内の一次機器６７や設備近傍の二次側に設置され、監視制御対象となる一次機器や設備の状態把握と操作指令出力の為のインターフェース装置である。尚、保護リレー等もＩＥＤの範囲に含まれる。図２７に示した例では、ＩＥＤ６５は、制御ケーブル６８を介して一次機器６７に接続される。
【０００７】
前述したゲートウェイは通信装置の一種で、遠方の広域監視制御装置（SCADA(Supervisory Control And Data Acquisition)等）と通信して連携して変電所内機器の遠方からの監視制御を行なう為の装置である。
【０００８】
次に、変電所の敷地内に送変電電圧クラスの設備と配電電圧クラスの設備とがそれぞれ設置される例について説明する。ここでは、図２７に示した例の変形例として図２８に示した例について説明する。この例では、設備管理組織が変電部門と配電部門に分かれる事から、それらに個別の変電所自動化システムが、図２８に示すように、変電所自動化システム６０や第２の変電所自動化システム６１として設置される。
【０００９】
図２８に示した例では、図２７に示した変電所自動化システム６０のサーバーコンピュータ６３に直接接続されるＬＡＮスイッチ５３にはルーター７０が接続される。  
また、この例では、第２の変電所自動化システム６１は、変電所自動化システム６０と同様にステーションＬＡＮを有し、このステーションＬＡＮ内には複数のＬＡＮスイッチ５３が設けられる。このＬＡＮスイッチ５３には、第２の変電所自動化システム６１のサーバーコンピュータ６６、ＩＥＤ６５、ルーター７０が接続される。このルーター７０は、変電所自動化システム６０のルーター７０に接続される。  
また、変電所自動化システム６０や内の第２の変電所自動化システム６１のＩＥＤ１５は、制御ケーブル８を介して、システム内の所定の一次機器６７の近傍に接続される。
【００１０】
また、この例では、送変電電圧クラスの一次機器６７と配電電圧クラスの一次機器６７との連結部分７１では、２つの変電所自動化システムの監視制御範囲が重なる領域７２が発生する。
【００１１】
この領域に対して、典型的な例では、第一の従来例として、双方の変電所自動化システムサーバーコンピュータ同士が通信を行ない、限定された範囲で相手側の変電所自動化システムを介して、境界領域にある機器に対する協調した監視制御を行なう機能が組み込まれる方式がある。
【００１２】
更に、第二の従来例として、SCADAの管理組織が変電所管理部門と分かれている場合、ゲートウェイを変電所自動化システムから分離した構成として、管理組織による管理を行ない易くする。ゲートウェイによる変電所内の情報を取得する方式は、サーバーコンピュータから取得する方式や、或いは独自にＩＥＤから取得する方式がある。
【００１３】
一方、工場試験に目を向けると、通常、この変電所自動化システムは出荷前に工場においてシステム全体を現地同様に構築して総合組合せ試験を行なう。この時、大量のＩＥＤを変電所自動化システムへ接続するために大量の光ケーブル、ＬＡＮケーブル等の配線接続が必要となり、試験前のシステム据付、据付後の確認、試験後の分解に要するリソースはシステム製作コスト上軽視できないものとなっている。
【先行技術文献】
【特許文献】
【００１４】
【特許文献１】特開２００８−３００９４２号公報
【発明の概要】
【発明が解決しようとする課題】
【００１５】
例えば、前述した第一の従来例では、相手側の変電所自動化システムの故障や停止に影響されずに、境界領域にある一次機器を監視制御したいニーズが有る。しかし、相手側の変電所自動化システムを介した監視制御を行なう限り、このニーズを満足できない。
【００１６】
また、前述した第二の従来例では、変電所自動化システムが故障や停止している場合でも、ゲートウェイを介して遠方から変電所内機器・設備を監視制御したいニーズが有る。しかし、ゲートウェイが変電所自動化システムのサーバーコンピュータから変電所機器・設備の情報を取得するシステムでは、このニーズを満足できない。
【００１７】
一方、ゲートウェイがＩＥＤから独自に情報を取得する構成では、ＩＥＤが変電所自動化サーバーとゲートウェイの両者との間で個別に情報伝送する必要が有り、ＩＥＤの処理負荷とＬＡＮトラフィックの増大を招き、ＩＥＤ単体やＬＡＮの伝送帯域の余裕度が低下する。或いは、これらに必要なＩＥＤやＬＡＮの性能向上のためのコスト増大に繋がる。加えて、ＬＡＮスイッチを変電所自動化システムのサーバーコンピュータとゲートウェイが共有しているため、ゲートウェイにとっては変電所自動化システムの故障の影響は大である。
【００１８】
近年では２つの通信ポートを持つＩＥＤが一般的になり、この機能を利用してＩＥＤを２つの変電所自動化システムに接続する方法も考えられるが、このような多ポート化は、通信路の冗長化を主目的とするものなので、複数の変電所自動化システムとの間の通信に適用できる設計になっていない場合もある。
【００１９】
更に、変電所自動化システムは、基本的に一次機器側が停止しない限りシステムを停止できない。システムの運用中に不審動作が発生した事により、ＬＡＮ上のトラフィックを調査したい場合には、システムの全体或いは一部を停止するか、一次機器を生かしたまま変電所自動化システムを停止するリスクを冒してＬＡＮアナライザ等を設置して不良データを分析する必要が有る。  
その他、工場試験にかかるリソースを削減して、システムの製造コストを下げる事で製品の競争力を強化したいニーズは全ての装置メーカーに共通である。
【００２０】
本発明が解決しようとする課題は、運用上、製造上の性能、効率を向上させることが可能になる変電所自動化システムおよび変電所自動化方法を提供することにある。
【課題を解決するための手段】
【００２１】
実施形態によれば、変電所自動化システムは、サーバー装置と、前記サーバー装置が属するＬＡＮに接続される電子機器と、前記電子機器から前記サーバー装置が属するＬＡＮへの伝送路に設けられ、前記電子機器から伝送路を介して前記サーバー装置が属するＬＡＮに伝送されるデータを、前記サーバー装置が属するＬＡＮとは分離された別系統のＬＡＮへ伝送する信号処理装置とをもつ。
【発明の効果】
【００２２】
本発明によれば、変電所自動化システムの運用上、製造上の性能、効率を向上させることが可能になる。
【図面の簡単な説明】
【００２３】
【図１】第１の実施形態における変電所自動化システムの構成例を示す図。
【図２】第１の実施形態における変電所自動化システムＡから変電所自動化システムＢへの伝送のための処理動作および通信異常に伴う処理動作の一例を示すフローチャート。
【図３】第２の実施形態における変電所自動化システムの構成例を示す図。
【図４】第２の実施形態における変電所自動化システムＡによる伝送のための処理動作の一例を示すフローチャート。
【図５】第２の実施形態における変電所自動化システムＢから変電所自動化システムＡへの制御指令の伝送のための処理動作の一例を示すフローチャートである。
【図６】第３の実施形態における変電所自動化システムの構成例を示す図。
【図７】第３の実施形態における変電所自動化システムＡによる伝送のための処理動作の一例を示すフローチャート。
【図８】第３の実施形態における変電所自動化システムＢから変電所自動化システムＡへの制御指令の伝送のための処理動作の一例を示すフローチャート。
【図９】第４の実施形態における変電所自動化システムの構成例を示す図。
【図１０】第４の実施形態における変電所自動化システムによる処理動作および通信異常に伴う処理動作の一例を示すフローチャート。
【図１１】第４の実施形態における変電所自動化システムＢから変電所自動化システムＡへの制御指令の伝送のための処理動作の一例を示すフローチャート。
【図１２】第５の実施形態における変電所自動化システムの構成例を示す図である。
【図１３】第５の実施形態における変電所自動化システムＡによる伝送のための処理動作の一例を示すフローチャート。
【図１４】第５の実施形態における変電所自動化システムＢから変電所自動化システムＡへの制御指令の伝送のための処理動作の一例を示すフローチャート。
【図１５】第６の実施形態における変電所自動化システムの構成例を示す図。
【図１６】第６の実施形態における変電所自動化システムＡから変電所自動化システムＢへの制御指令の伝送のための処理動作および通信異常に伴う処理動作の一例を示すフローチャート。
【図１７】第６の実施形態における変電所自動化システムＢから変電所自動化システムＡへの制御指令の伝送のための処理動作の一例を示すフローチャート。
【図１８】第７の実施形態における変電所自動化システムの構成例を示す図。
【図１９】第７の実施形態における変電所自動化システムＡから変電所自動化システムＢへの制御指令の伝送のための処理動作および通信異常に伴う処理動作の一例を示すフローチャート。
【図２０】第７の実施形態における変電所自動化システムＢから変電所自動化システムＡへの制御指令の伝送のための処理動作の一例を示すフローチャート。
【図２１】第８の実施形態における変電所自動化システムの構成例を示す図。
【図２２】第８の実施形態における変電所自動化システムＡから変電所自動化システムＢへの制御指令の伝送のための処理動作および通信異常に伴う処理動作の一例を示すフローチャート。
【図２３】第８の実施形態における変電所自動化システムＢから変電所自動化システムＡへの制御指令の伝送のための処理動作の一例を示すフローチャート。
【図２４】第９の実施形態における変電所自動化システムの構成例を示す図。
【図２５】第９の実施形態における変電所自動化システムＡから変電所自動化システムＢへの制御指令の伝送のための処理動作および通信異常に伴う処理動作の一例を示すフローチャート。
【図２６】第９の実施形態における変電所自動化システムＢから変電所自動化システムＡへの制御指令の伝送のための処理動作の一例を示すフローチャート。
【図２７】一般的な変電所自動化システムの構成例を示す図。
【図２８】複数の変電所自動化システムの構成例を示す図。
【図２９】ＬＡＮスイッチとＩＥＤ間に適用される全二重通信方式の接続の概念を示す図。
【発明を実施するための形態】
【００２４】
以下、実施の形態について、図面を参照して説明する。  
（第１の実施形態）
まず、第１の実施形態について説明する。  
本実施形態は、サーバーコンピュータと、全二重通信方式ＬＡＮ伝送路を介して、サーバーコンピュータが属するステーションＬＡＮに接続されるＩＥＤと、ＩＥＤからのデータをステーションＬＡＮに伝送するための伝送線に設けられるネットワークタップを備え、ＩＥＤから伝送線を介してステーションＬＡＮに伝送されるデータを、ネットワークタップを介して、ステーションＬＡＮとは分離された別系統のＬＡＮへも伝送することを特徴とする。
【００２５】
通常、社会インフラとして重要な機能を持つ電力システムの設備では、例えば１つの機器の故障でシステムが機能喪失に陥る事を防ぐ冗長化設計がなされているが、構成図にこの様な詳細を含む精確性を期すると複雑になる為、説明に支障の無い類の部分の詳細表現は割愛し、また、ステーションＬＡＮにＩＥＤが直接接続される最も簡便な構成のシステムとした。
【００２６】
図１は、第１の実施形態における変電所自動化システムの構成例を示す図である。  
本実施形態では、変電所の本来の変電所自動化システムである第１の変電所自動化システム１０、および同変電所の一次機器にアクセスしようとする別系統の代表システムである第２の変電所自動化システム１１との間の伝送を行なう。以後、第１の変電所自動化システム１０を変電所自動化システムＡと称し、第２の変電所自動化システム１１を変電所自動化システムＢと称して説明する。ただし、変電所自動化システムＢは、ＲＴＵ（Remote Terminal Unit）やゲートウェイであってもよい。
【００２７】
図１に示すように、変電所自動化システムＡはリング型のステーションＬＡＮ１２を有する。ここでは、ステーションＬＡＮ１２はリング型であり、伝送路には光ファイバーが用いられる。このステーションＬＡＮ１２には、サーバーコンピュータ１３、このサーバーコンピュータ１３以外のステーションレベル機器１４がそれぞれ属する。このステーションレベル機器１４は、例えばワークステーション（ＨＭＩ）、プリンタ等である。
【００２８】
また、このステーションＬＡＮ１２内には、ステーションＬＡＮ１２内の信号処理装置である複数のＬＡＮスイッチ（Local Area Network switch）３が設けられる。これらのＬＡＮスイッチ３を介してサーバーコンピュータ１３、ステーションレベル機器１４がステーションＬＡＮ１２の伝送路に接続される。
【００２９】
また、変電所自動化システムＡ内には、ベイレベル機器である複数のＩＥＤ１５が設置される。これらのＩＥＤ１５は、制御ケーブル８を介して、開閉器等の変電所内一次機器１７の近傍に接続される。
【００３０】
また、これらのＩＥＤ１５は、当該ＩＥＤ１５からみた送信用の伝送路である送信線５ａ、および当該ＩＥＤ１５からみた受信用の伝送路である受信線６ａを介して、ステーションＬＡＮ１２内のＬＡＮスイッチ３に接続される。図１に示した例では、２つずつのＩＥＤ１５に対して１つのＬＡＮスイッチ３が接続される。本実施形態では、ステーションＬＡＮ１２に接続された機器間でデータを伝送し、監視制御処理が行われる。
【００３１】
本実施形態では、ステーションＬＡＮ１２は、５つのＬＡＮスイッチを設け、１つはサーバーコンピュータ１３に、他の１つはステーションレベル機器１４に、他の３つはＩＥＤ１５に接続される。図１に示した例では、ステーションＬＡＮ１２に属するステーションレベル機器１４は１つであるが、この数は特に限られない。
【００３２】
また、変電所自動化システムＢは、変電所自動化システムＡと同様にリング型のＬＡＮを有し、このＬＡＮ内には複数のＬＡＮスイッチ３が設けられる。このＬＡＮスイッチ３には、変電所自動化システムＢのサーバーコンピュータ１６やＩＥＤ１５などが接続される。また、変電所自動化システムＢ内のＩＥＤ１５は、制御ケーブル８を介して所定の一次機器１７の近傍に接続される。
【００３３】
図２９は、ＬＡＮスイッチとＩＥＤ間に適用される全二重通信方式の接続の概念を示す図である。  
変電所自動化システム内のＬＡＮはリアルタイム性を要求されるため、全二重通信方式が用いられるのが一般的である。全二重通信方式ＬＡＮでは、送信データ用の伝送路と受信データ用の伝送路は分離されており、１つの伝送路上では、データは一方向にのみ伝送される。
【００３４】
図２９に示した例では、ＬＡＮスイッチ８３および電子機器８４は、送信ポート８１および受信ポート８２を有する。図２９に示したＬＡＮスイッチ８３は図１に示したＬＡＮスイッチ３が該当する。また、図２９に示した電子機器８４は図１に示したＩＥＤ１５やサーバーコンピュータ１３やステーションレベル機器１４が該当する。  
そして、ＬＡＮスイッチ８３の送信ポート８１は、第１の伝送路８５を介して電子機器８４の受信ポート８２に接続される。また、電子機器８４の送信ポート８１は、第２の伝送路８６を介してＬＡＮスイッチ８３の受信ポート８２に接続される。
【００３５】
図１に示したＩＥＤ１５からサーバーコンピュータ１３やステーションレベル機器１４へデータを伝送する時は、ＩＥＤ１５の送信ポートからの送信用の伝送路を用い、データ受信側の機器のＭＡＣアドレスおよびＩＰアドレスを設定したデータフレームを送信する。一方、ＩＥＤ１５が受け取るデータは、ＩＥＤ１５自身のＭＡＣアドレスおよびＩＰアドレスが設定されたデータフレームで伝送されて来るので、当該ＩＥＤ１５の受信ポートにより受信する。
【００３６】
図１に示したシステムの説明に戻る。本実施形態では、変電所自動化システムＡのＩＥＤ１５からステーションＬＡＮ１２への送信線５ａにネットワークタップ７が挿入される。このネットワークタップ７は、データフレームの分岐伝送の機能を有する。このネットワークタップ７には、変電所自動化システムＢへのデータフレームの分岐伝送路であるネットワークタップ分岐線９が設けられる。このネットワークタップ分岐線９は、変電所自動化システムＢの所定のＬＡＮスイッチ３に接続される。
【００３７】
図１に示した例では、変電所自動化システムＡの３つのＩＥＤ１５のそれぞれについて、送信線５ａにネットワークタップ７が挿入されており、それぞれのネットワークタップ７がネットワークタップ分岐線９を介して、変電所自動化システムＢの前述した所定のＬＡＮスイッチ３に接続される。
【００３８】
変電所内は電磁ノイズが強い環境のため、本実施形態では、変電所自動化システムのネットワークタップ分岐線９として光ファイバーが一般的に採用されている。この場合、ネットワークタップ７は光分岐カプラで実現可能である。ネットワークタップ分岐線９として電気ケーブルが使われている場合でも分岐線で実現可能である。説明の為、図１では、１つのネットワークタップ７からのネットワークタップ分岐線９は１本であるが、このネットワークタップ分岐線９が光分岐カプラであっても電気的カプラであっても必要に応じて、１つのネットワークタップ７に複数本のネットワークタップ分岐線９を取り付けることも可能である。
【００３９】
次に、図１に示した構成の変電所自動化システムの動作について説明する。図２は、第１の実施形態における変電所自動化システムＡから変電所自動化システムＢへの伝送のための処理動作および通信異常に伴う処理動作の一例を示すフローチャートである。  
変電所自動化システムＡのＩＥＤ１５のうち、ネットワークタップ７が挿入される送信線５ａに接続されるＩＥＤ１５は、当該システム内のステーションＬＡＮ１２に属する機器であるサーバーコンピュータ１３やステーションレベル機器１４へ向けてデータフレームを送信する（ステップＳ１）。このように伝送されるデータフレームは、送信元のＩＥＤ１５に接続されるＩＥＤ側送信線５ａに挿入されるネットワークタップ７からネットワークタップ分岐線９により分岐した先の変電所自動化システムＢのＬＡＮスイッチ３にも、ステーションＬＡＮ１２に属する機器への伝送タイミングと同じタイミングで伝送される（ステップＳ２）。
【００４０】
このデータフレームには、本来の宛先である変電所自動化システムＡのステーションＬＡＮ１２に属する機器のアドレスが設定されている。変電所自動化システムＢの受信口に有るＬＡＮスイッチ３は、このアドレスを認識して受信し、データフレームを変電所自動化システムＢのサーバーコンピュータ１６へ取り込めるようになっている（ステップＳ３）。同様の仕組みはＬＡＮアナライザ等で実現される。したがって、第１の実施形態と同様に、変電所自動化システムＢと一次機器１７との間の監視機能用の制御ケーブル８を設ける必要なしに、変電所自動化システムＢは一次機器１７の監視制御情報を得ることができる。
【００４１】
ＬＡＮに標準的に使用される伝送プロトコルであるＴＣＰでは、データを送受信する機器間で１対１の接続を確立する。変電所自動化システムＡのＩＥＤ１５が当該システム内のサーバーコンピュータ１３との間で送受信するデータは、１対１で接続が確立された、ＩＥＤ１５とステーションＬＡＮ１２側の機器との間で送受信されるため、変電所自動化システムＢのサーバーコンピュータ１６では、このデータを観測する事しかできない。
【００４２】
よって、変電所自動化システムＡのＩＥＤ１５とサーバーコンピュータ１３間の接続がステーションＬＡＮ１２を介して確立している間は、変電所自動化システムＢのサーバーコンピュータ１６は、変電所自動化システムＡのＩＥＤ１５から観測できるデータの中から変電所の監視制御情報のみを抽出して活用する（ステップＳ４）。したがって、変電所自動化システムＢと一次機器１７との間の監視機能用の制御ケーブル８を設ける必要なしに、変電所自動化システムＢは一次機器１７の監視制御情報を得ることができる。
【００４３】
以下、変電所自動化システムＡ内の通信異常に伴う処理動作について説明する。変電所自動化システムＡに不良が発生し、変電所自動化システムＡ内のＩＥＤ１５とサーバーコンピュータ１３との間の通信異常が発生すると（ステップＳ６）、変電所自動化システムＡのＩＥＤ１５は同システム内のサーバーコンピュータ１３間との接続を切断する（ステップＳ７）。
【００４４】
変電所自動化システムＢのサーバーコンピュータ１６は、ステップＳ４で観測している伝送データから、変電所自動化システムＡの不良を検出し（ステップＳ８）、その時には変電所自動化システムＢのサーバーコンピュータ１６は、変電所自動化システムＡのネットワークタップ７を介して、このネットワークタップ７に接続される、変電所自動化システムＡ内の所定のＩＥＤ１５と新たな１対１接続を確立して、このＩＥＤ１５との通信を行なう（ステップＳ９）。
【００４５】
変電所自動化システムＢのサーバーコンピュータ１６は、変電所自動化システムＡ内の全てのＩＥＤ１５との接続を確立する必要は無く、必要な範囲に限定する事でシステム間の余分な切替えや処理負担を軽減できる。或いは、変電所自動化システムＡおよびＢのサーバーコンピュータ同士が監視情報を別ルートで伝送して不良を検出する方法も適用可能である。
【００４６】
また、変電所自動化システムＢから、変電所自動化システムＡに属する一次機器１７を制御するには、別制御システムからの通信による制御の信頼性やセキュリティの観点からユーザーに受け入れられない可能性も考慮し、図１に示すように、旧来の制御ケーブル８により、変電所自動化システムＢのＩＥＤ１５と変電所自動化システムＡの一次機器１７との間を接続して、変電所自動化システムＡとはハードウェア的に分離された回路で一次機器１７を直接制御する。  
変電所自動化システムＡ，Ｂ間の制御権の切替えは、図示しないＨＭＩ画面上或いはローカル操作盤の切替えスイッチで行なうのが一般的である。
【００４７】
図１に示した例では、変電所自動化システムＡのＩＥＤ１５とＬＡＮスイッチ３との間の接続線に挿入されるネットワークタップ７は１個であるが、このネットワークタップ７を接続線に複数挿入し、その各々に独立した変電所自動化システムを接続する事も考えられる。
【００４８】
以上のように、第１の実施形態によれば、独立した複数の変電所自動化システムが、アクセス先の変電所自動化システムの不良の影響を受けずに，そのアクセス先の変電所自動化システムの配下の特定のＩＥＤ１５からの情報を取得できる。
【００４９】
従来は、変電所自動化システムＡにより監視制御する一次機器１７へ、別系統の変電所自動化システムＢがアクセスする場合、変電所自動化システムＡの干渉を完全に回避するには、変電所自動化システムＡの一次機器１７と変電所自動化システムＢのＩＥＤ１５との間を多数の制御ケーブル８で直接接続する必要が有り、各々の変電所自動化システムへの状態表示の為の無電圧との接点等を個別に装備する等の必要があり、一次機器１７のコスト高の原因となっていた。しかし、この実施形態によれば、各々の変電所自動化システムとの間の制御機能用のみの制御ケーブル８は個別に敷設しなければならないものの、監視機能用の制御ケーブル８は不要となるので、制御ケーブル８の数量は少なく見積もって、従来の接続に使用する時の６０％を削減でき、変電所自動化シスレムＡ内の一次機器１７の情報出力用接点も最小限の数量とできる。
【００５０】
（第２の実施形態）
次に、第２の実施形態について説明する。なお、以下の各実施形態における変電所自動化システムの構成のうちは図１に示した同一部分の説明は省略する。  
図３は、第２の実施形態における変電所自動化システムの構成例を示す図である。  
この実施形態では、第１の実施形態で説明した構成に加えて、変電所自動化システムＡのＩＥＤ１５とＬＡＮスイッチ３間の接続線のうち、ＩＥＤ１５からみた受信線６ａ側にもネットワークタップ７を挿入する事で、変電所自動化システムＡの機器からのみでなく、変電所自動化システムＢからも変電所自動化システムＡ内のＩＥＤ１５への制御指令出力をデータ伝送で行なう構成としている。  
また、この実施形態では、第１の実施形態と異なり、変電所自動化システムＢ内のＩＥＤ１５と変電所自動化システムＡ内の一次機器１７との間は接続されておらず、これらの間の制御ケーブル８も不要である。
【００５１】
この場合、変電所自動化システムＡ、Ｂ間で無協調の状態では、両システムから変電所自動化システムＡのＩＥＤ１５へ伝送されるデータフレーム同士が、伝送先のＩＥＤ１５に対応するネットワークタップ７上で衝突する可能性が出てくる。
【００５２】
この対策として、本実施形態では、変電所自動化システムＡの一次機器１７の操作に関する制御権を有する変電所自動化システムが変電所自動化システムＡ，Ｂのいずれであるかを変電所自動化システムＡ，Ｂの間で、ネットワークタップ分岐線９とは別系統、例えば無電圧接点あるいはルーターを介した通信等で相互に常時監視しておき、制御権を参照したデータ送信許可制御の仕組みを組み込む事で前述した衝突を回避する方法を用いている。
【００５３】
或いは、変電所自動化システムＢのサーバーコンピュータ１６は、変電所自動化システムＡのＩＥＤ１５へ制御指令を発しようとする際、変電所自動化システムＡのサーバーコンピュータ１３に制御権要求を発する事で、他系統である変電所自動化システムＡのサーバーコンピュータ１３に対して制御指令禁止を要求し、制御権を取得後に変電所自動化システムＡのＩＥＤ１５に、ネットワークタップ分岐線９およびネットワークタップ７を介して制御指令を出力する事で、前述した衝突を回避する方法を用いてもよい。
【００５４】
変電所自動化システムＡ，Ｂの一方のサーバーコンピュータは、相手システムへの制御権要求に対して当該相手システムからの応答が無い場合は、この相手システムは停止状態に有るとみなし、制御権取得可能と判断してもよい。また、制御権を持たない変電所自動化システムのサーバーコンピュータから制御指令を発していない時に、一次機器１７が原因不明の状態変化となった場合については、このサーバーコンピュータは、一次機器１７の状態変化は他系統の変電所自動化システムからの制御指令とみなす規則を設ける事で正しい認識が可能である。
【００５５】
次に、図３に示した構成の変電所自動化システムの動作について説明する。変電所自動化システムＡのＩＥＤ１５からのデータフレームの送信については、第１の実施形態と同様である。図４は、第２の実施形態における変電所自動化システムＡによる制御指令の伝送のための処理動作の一例を示すフローチャートである。この処理動作は、第２の実施形態では、変電所自動化システムＢから変電所自動化システムＡへネットワークタップ７を介した伝送が行われるので、変電所自動化システムＡ，Ｂのそれぞれからの伝送が同一のネットワークタップ７で衝突しないようにするための動作である。以下、変電所自動化システムＡの送信元機器がサーバーコンピュータ１３であるとして説明するが、この送信元機器がステーションレベル機器１４であってもよいのはもちろんである。
【００５６】
本実施形態では、前述したように、変電所自動化システムＢからも変電所自動化システムＡへネットワークタップ７を介した伝送が行われるので、変電所自動化システムＡのサーバーコンピュータ１３は、ネットワークタップ分岐線９とは別系統の接続線を介して変電所自動化システムＢのサーバーコンピュータ１６にアクセスすることで、一次機器１７の操作に関する制御権を参照する（ステップＳ１１）。
【００５７】
この結果、変電所自動化システムＡ側が制御権を有する事をサーバーコンピュータ１３が確認した場合は、このサーバーコンピュータ１３は、変電所自動化システムＡの制御対象のＩＥＤ１５への制御指令を、変電所自動化システムＡ内のＬＡＮスイッチ３を介して出力する（ステップＳ１２）。
【００５８】
この出力された制御指令は、変電所自動化システムＡ内のネットワークタップ７のうち、前述した制御対象のＩＥＤ１５に接続されるＩＥＤ側受信線６ａに挿入されるネットワークタップ７を介して、接続先である制御対象のＩＥＤ１５に伝送される（ステップＳ１３）。
【００５９】
図５は、第２の実施形態における変電所自動化システムＢから変電所自動化システムＡへの制御指令の伝送のための処理動作の一例を示すフローチャートである。  
変電所自動化システムＢのサーバーコンピュータ１６は、ネットワークタップ分岐線９とは別系統の接続線を介して変電所自動化システムＡのサーバーコンピュータ１３にアクセスすることで、一次機器１７の操作に関する制御権を参照する（ステップＳ２１）。
【００６０】
この結果、変電所自動化システムＢ側が制御権を有する事をサーバーコンピュータ１６が確認した場合は、このサーバーコンピュータ１６は、変電所自動化システムＡの制御対象のＩＥＤ１５への制御指令を、変電所自動化システムＢ内のＬＡＮスイッチ３を介して出力する（ステップＳ２２）。
【００６１】
この出力された制御指令は、ネットワークタップ分岐線９を介して、変電所自動化システムＡ内のネットワークタップ７のうち、前述した制御対象のＩＥＤ１５に接続されるＩＥＤ側受信線６ａに挿入されるネットワークタップ７が受信する。この受信したネットワークタップ７は、接続先である制御対象のＩＥＤ１５に制御指令を伝送する（ステップＳ２３）。
【００６２】
以上のように、第２の実施形態によれば、変電所自動化システムＡ内の特定のＩＥＤ１５と、別系統である変電所自動化システムＢとの間で、協調の取れた監視制御データの送受信が可能となり、変電所自動化システムＡの不良の影響を受けずに変電所自動化システムＢから一次機器１７への監視制御が行える。
【００６３】
また、この実施形態によれば、変電所自動化システムＡのＩＥＤ１５からみた受信線６ａ側にもネットワークタップ７を挿入して、変電所自動化システムＢからも変電所自動化システムＡ内のＩＥＤ１５への制御指令出力をデータ伝送で行なう構成としたので、第１の実施形態の構成では削減できなかった、変電所自動化システムＢから一次機器１７への制御機能用の制御ケーブル８も不要となり、変電所自動化システムＡの配下の一次機器１７と他系統の変電所自動化システムＢとを接続するための制御ケーブル８は完全に不要となる。
【００６４】
（第３の実施形態）
次に、第３の実施形態について説明する。  
図６は、第３の実施形態における変電所自動化システムの構成例を示す図である。  
この実施形態では、第２の実施形態で説明した変電所自動化システムＡの所定のＩＥＤ１５に接続されるＩＥＤ側送信線５ａに挿入されるネットワークタップ７の傍、および同じＩＥＤ１５に接続されるＩＥＤ側受信線６ａに挿入されるネットワークタップ７の傍に無線ＬＡＮ子機１９を設け、また、第２の実施形態で説明した変電所自動化システムＢ側のＬＡＮ内の所定の１つのＬＡＮスイッチ３を無線ＬＡＮ親機１８に置き換えて設置する事により、変電所自動化システムＢのＬＡＮと変電所自動化システムＡのＩＥＤ１５との間の通信を無線方式に置き換えたものである。
【００６５】
この無線ＬＡＮは、第１および第２の実施形態における目的、つまり、変電所自動化システムＢによる、変電所自動化システムＡのＩＥＤ１５からステーションＬＡＮ１２に属する機器へ伝送されるデータフレームの監視制御、および変電所自動化システムＢのサーバーコンピュータ１３から変電所自動化システムＡのＩＥＤ１５への制御指令に使用できるが、必要に応じてＬＡＮアナライザ等の監視装置も接続できる。
【００６６】
図６に示した例では、変電所自動化システムＡの一部のＩＥＤ１５に接続されるＩＥＤ側送信線５ａやＩＥＤ側受信線６ａにネットワークタップ７を挿入し、このネットワークタップ７の傍に無線ＬＡＮ子機１９を設け、他のＩＥＤ１５については変電所自動化システムＢとの間の通信を行なわない構成としている。しかし、このような構成に限らず、変電所自動化システムＢによる、変電所自動化システムＡのＩＥＤ１５からサーバーコンピュータ１３やステーションレベル機器１４へ伝送されるデータフレームの監視制御の要否に関わらず、変電所自動化システムＡ内の全てのＩＥＤ１５からの送信線５ａや受信線６ａにネットワークタップ７を挿入し、このネットワークタップ７の傍らに無線ＬＡＮ子機１９を設ける構成としてもよい。このような構成とすれば、後出の説明に有るようにシステムの工場試験や運用中の点検監視に活用ができる。
【００６７】
次に、図６に示した構成の変電所自動化システムの動作について説明する。変電所自動化システムＡによる同システムのＩＥＤ１５への制御指令の伝送は、第２の実施形態と同様である。図７は、第３の実施形態における変電所自動化システムＡによる伝送のための処理動作の一例を示すフローチャートである。  
変電所自動化システムＡのＩＥＤ１５のうち、ネットワークタップ７が挿入される送信線５ａに接続されるＩＥＤ１５は、当該システム内のステーションＬＡＮ１２に属する機器へ向けてデータフレームを送信する（ステップＳ３１）。このように伝送されるデータフレームは、送信元のＩＥＤ１５に接続されるＩＥＤ側送信線５ａに挿入されるネットワークタップ７の傍に設置される無線ＬＡＮ子機１９から変電所自動化システムＢにも同時に伝送される（ステップＳ３２）。
【００６８】
このデータフレームには、本来の宛先である変電所自動化システムＡのステーションＬＡＮ１２に属する機器のアドレスが設定されている。変電所自動化システムＢの受信口に有る無線ＬＡＮ親機１８は、このアドレスを認識して受信し、変電所自動化システムＢのサーバーコンピュータ１６へデータフレームを取り込めるようになっている（ステップＳ３３，Ｓ３４）。したがって、第１の実施形態と同様に、変電所自動化システムＢと一次機器１７との間の監視機能用の制御ケーブル８を設ける必要なしに、変電所自動化システムＢは一次機器１７の監視制御情報を得ることができる。
【００６９】
第１の実施形態でも説明したように、変電所自動化システムＡのＩＥＤ１５とサーバーコンピュータ１３間の接続が確立している間は、変電所自動化システムＢのサーバーコンピュータ１６は、変電所自動化システムＡのＩＥＤ１５からの観測できるデータの中から変電所の監視制御情報のみを抽出して活用する（ステップＳ３５）。  
次に、通信異常に伴う処理動作は、第１の実施形態で説明したステップＳ６からＳ９までと同じである。
【００７０】
図８は、第３の実施形態における変電所自動化システムＢから変電所自動化システムＡへの制御指令の伝送のための処理動作の一例を示すフローチャートである。  
変電所自動化システムＢのサーバーコンピュータ１６は、無線ＬＡＮ親機１８や無線ＬＡＮ子機１９とは別系統の接続線を介して変電所自動化システムＡのサーバーコンピュータ１３にアクセスすることで、一次機器１７の操作に関する制御権を参照する（ステップＳ４１）。
【００７１】
この結果、変電所自動化システムＢ側が制御権を有する事をサーバーコンピュータ１６が確認した場合は、このサーバーコンピュータ１６は、変電所自動化システムＡの制御対象のＩＥＤ１５への制御指令を出力する（ステップＳ４２）。この出力された制御指令は、変電所自動化システムＢ内の無線ＬＡＮ親機１８が変電所自動化システムＡに伝送する（ステップＳ４３）。
【００７２】
この伝送された制御指令は、変電所自動化システムＡ内の無線ＬＡＮ子機１９のうち、前述した制御対象のＩＥＤ１５に接続されるＩＥＤ側受信線６ａに挿入されるネットワークタップ７の傍に設置される無線ＬＡＮ子機１９が受信する。この受信した無線ＬＡＮ子機１９は、傍のネットワークタップ７を介して、制御対象のＩＥＤ１５に制御指令を伝送する（ステップＳ４４）。
【００７３】
以上のように、第３の実施形態によれば、第１および第２の実施形態で説明した、変電所自動化システムＢと一次機器１７の近傍に設置されるネットワークタップ７との間のネットワークタップ分岐線９を設ける必要が無いので、通信ケーブルを削減できる。また、変電所自動化システムＢは、無線ＬＡＮを介して変電所自動化システムＡのＩＥＤ１５が通信するデータの監視を行えるため、システムの運用への影響を与えずに点検、問題点調査等が可能となる。また、変電所自動化システムＡとＢは制御権の取得に関して対等になっており、変電所自動化システムＢ側の分岐へ本来の上位系システムである変電所自動化システムＡを接続しても同等な機能が得られる。
【００７４】
また、工場試験では変電所自動化システムＡのＩＥＤ１５とステーションＬＡＮ１２とを光コードで接続する本来のシステムを構築せずに、無線ＬＡＮを介して変電所自動化システムＡのＩＥＤ１５とステーションＬＡＮ１２とを接続するようにしてもよい。この事により、変電所自動化システムＡのＩＥＤ１５をステーションＬＡＮ１２のＬＡＮスイッチ３に接続する光コード類が不要となり、システムの工場試験時のリソース削減が可能となる。またサイトへ据付後のコミッショニング試験においても光ケーブル接続前にシステムの動作確認を行なう事ができる。
【００７５】
（第４の実施形態）
次に、第４の実施形態について説明する。  
本実施形態における変電所自動化システムＡ，ＢのＬＡＮスイッチとサーバーコンピュータ間の接続方式は、第１の実施形態で説明したように全二重通信方式のＬＡＮであり、概念図は図２９に示す電子機器８４をサーバーコンピュータとして用いた場合に対応する。
【００７６】
つまり、サーバーコンピュータである電子機器８４から他機器へデータを伝送する時は、伝送路８６を用い、データ受信側機器のＭＡＣアドレスおよびＩＰアドレスを設定したデータフレームをＬＡＮスイッチ８３へ送信し、このＬＡＮスイッチ８３を介して他機器へ伝送する。
【００７７】
一方、サーバーコンピュータである電子機器８４が他機器から受け取るデータは、この他機器からＬＡＮスイッチ８３および伝送路８５を介して電子機器８４自身のＭＡＣアドレスおよびＩＰアドレスが設定されたデータフレームで伝送されて来るので、電子機器８４の受信ポート８２により受信することになる。
【００７８】
図９は、第４の実施形態における変電所自動化システムの構成例を示す図である。  
前述した第１の実施形態では、変電所自動化システムＡのＩＥＤ１５とステーションＬＡＮ１２との間にネットワークタップ７を挿入し、このネットワークタップ７を用いて変電所自動化システムＡから変電所自動化システムＢへの伝送を行なったが、第４の実施形態では、変電所自動化システムＡのＩＥＤ１５とステーションＬＡＮ１２との間にネットワークタップ７を挿入する代わりに、変電所自動化システムＡのサーバーコンピュータ１３とステーションＬＡＮ１２との間にネットワークタップ７を挿入し、このネットワークタップ７を用いて変電所自動化システムＡから変電所自動化システムＢへの伝送を行なう。
【００７９】
具体的には、変電所自動化システムＡのサーバーコンピュータ１３は、サーバーコンピュータ１３からみた送信線５ｂおよびサーバーコンピュータ１３からみた受信線６ｂを介してステーションＬＡＮ１２内の所定のＬＡＮスイッチ３に接続される。そして、本実施形態では、この受信線６ｂに単一のネットワークタップ７が挿入される。このネットワークタップ７は、ネットワークタップ分岐線９を介して変電所自動化システムＢの所定のＬＡＮスイッチ３に接続される。接続線として電気ケーブルが使われている場合でも分岐線で実現可能である。  
また、本実施形態では、第１の実施形態と同様に、変電所自動化システムＢ内のＩＥＤ１５は、制御ケーブル８を介して所定の一次機器１７の近傍に接続される。
【００８０】
次に、図９に示した構成の変電所自動化システムの動作について説明する。図１０は、第４の実施形態における変電所自動化システムによる処理動作および通信異常に伴う処理動作の一例を示すフローチャートである。  
変電所自動化システムＡのＩＥＤ１５は、当該システム内のサーバーコンピュータ１３へ向けてデータフレームを送信する（ステップＳ５１）。このように伝送されるデータフレームは、サーバーコンピュータ１３とステーションＬＡＮ１２内のＬＡＮスイッチ３との間に接続されるサーバーコンピュータ側受信線６ｂに挿入されるネットワークタップ７から分岐した先の変電所自動化システムＢにも同時に伝送される（ステップＳ５２）。
【００８１】
このデータフレームには、本来の宛先である変電所自動化システムＡのサーバーコンピュータ１３のアドレスが設定されている。変電所自動化システムＢの受信口に有るＬＡＮスイッチ３は、このアドレスを認識して受信し、変電所自動化システムＢのサーバーコンピュータ１６へデータフレームを取り込めるようになっている（ステップＳ５３，Ｓ５４）。同様の仕組みはＬＡＮアナライザ等でも実現される。したがって、第１の実施形態と同様に、変電所自動化システムＢと一次機器１７との間の監視機能用の制御ケーブル８を設ける必要なしに、変電所自動化システムＢは一次機器１７の監視制御情報を得ることができる。
【００８２】
また、第１の実施形態で説明したように、変電所自動化システムＡのＩＥＤ１５とサーバーコンピュータ１３間の接続が確立している間は、変電所自動化システムＢのサーバーコンピュータ１６は、変電所自動化システムＡのＩＥＤ１５からの観測できるデータの中から変電所の監視制御情報のみを抽出して活用する（ステップＳ５５）。
【００８３】
ただし、この構成では、変電所自動化システムＡのサーバーコンピュータ１３へ伝送される全情報が変電所自動化システムＢ側へ漏洩する事になる。この事がセキュリティ上問題となる場合は、変電所自動化システムＢとネットワークタップ７との間の接続線上にデータの送信元のＩＥＤ１５を判別してフィルタをかける装置を挿入する事で、必要なＩＥＤ１５からのデータのみを通過させる事ができる。
【００８４】
次に、変電所自動化システムＡのサーバーコンピュータ１３の停止に伴う動作について説明する。変電所自動化システムＡのサーバーコンピュータ１３が停止し、ＩＥＤ１５とサーバーコンピュータ１３間の通信異常が発生すると（ステップＳ５６）、変電所自動化システムＡのＩＥＤ１５は同システム内のサーバーコンピュータ１３間との接続を切断する（ステップＳ５７）。
【００８５】
このサーバーコンピュータ１３と１対１での通信接続を確立していた機器は全て通信異常を検出するため、変電所内機器情報を含むＩＥＤ１５からのデータフレームは、変電所自動化システムＡのサーバーコンピュータ１３宛に適切に伝送されて来なくなる。
【００８６】
本実施形態では、変電所自動化システムＢのサーバーコンピュータ１６は、観測している伝送データに基づいて、この通信異常を検出し（ステップＳ５８）、その際は変電所自動化システムＢのサーバーコンピュータ１６は、変電所自動化システムＡのネットワークタップ７を介して当該変電所自動化システムＡ内のＩＥＤ１５と１対１での新たな接続を確立して、このＩＥＤ１５との通信を行なって情報を取得する（ステップＳ５９）。
【００８７】
図１１は、第４の実施形態における変電所自動化システムＢから変電所自動化システムＡへの制御指令の伝送のための処理動作の一例を示すフローチャートである。  
変電所自動化システムＢのサーバーコンピュータ１６は、変電所自動化システムＡの制御対象のＩＥＤ１５への制御指令を、変電所自動化システムＢ内のＬＡＮスイッチ３を介して出力する（ステップＳ６１）。
【００８８】
この出力された制御指令は、変電所自動化システムＢのＩＥＤ１５から制御ケーブル８を介して制御対象のＩＥＤ１５に伝送される（ステップＳ６２）。つまり、第４の実施形態では、変電所自動化システムＢのサーバーコンピュータ１６は、制御ケーブル８を介して所定の一次機器１７を制御する。なお、本実施形態では、変電所自動化システムＢのサーバーコンピュータ１６は、ネットワークタップ７を経由せずに、制御ケーブル８を介して所定の一次機器１７を制御するので、第２の実施形態で説明したような、変電所自動化システムＢのサーバーコンピュータ１６による制御権情報の参照は行わない。
【００８９】
以上のように、第４の実施形態によれば、変電所自動化システムＡのサーバーコンピュータ１３へ伝送されてくる情報は、全て、別系統の変電所自動化システムＢにも伝送されるため、変電所自動化システムＡのサーバーコンピュータ１３が故障・停止していても、変電所自動化システムＡのステーションＬＡＮが使用可能であれば、別系統の変電所自動化システムＢから一次機器１７の監視制御が可能となる。また、第１の実施形態と同様に、変電所自動化システムＢによる、一次機器１７の監視機能用の制御ケーブル８は不要である。
【００９０】
また、本実施形態では、変電所自動化システムＡのＩＥＤ１５の個数に関わらず、変電所自動化システムＡと変電所自動化システムＢとの間は、変電所自動化システムＡとＬＡＮスイッチ３との接続線上にネットワークタップ７を１個挿入し、１本のネットワークタップ分岐線９を設ける構成とすればよいので、第１の実施形態と比較してネットワークタップ７やネットワークタップ分岐線９の個数を削減できる効果を得ることができ、この効果は、変電所自動化システムＡのＩＥＤ１５の個数が多いほど顕著となる。
【００９１】
また、この第４の実施形態において、変電所自動化システムＡのサーバーコンピュータ１３とＬＡＮスイッチ３との間から変電所自動化システムＢへの通信方式を、第３の実施形態で説明したように無線方式に置き換えてもよい。
【００９２】
（第５の実施形態）
次に、第５の実施形態について説明する。  
図１２は、第５の実施形態における変電所自動化システムの構成例を示す図である。  
この実施形態では、第４の実施形態で説明した構成に加えて、変電所自動化システムＡのサーバーコンピュータ１３からみた送信線５ｂにもネットワークタップ７を挿入し、このネットワークタップ７と変電所自動化システムＢの、第４の実施形態で説明した所定のＬＡＮスイッチ３とをネットワークタップ分岐線９により接続する事で、変電所自動化システムＡの機器からのみでなく、変電所自動化システムＢからも変電所自動化システムＡ内のＩＥＤ１５への制御指令出力をデータ伝送で行なう構成としている。  
また、この実施形態では、第４の実施形態と異なり、変電所自動化システムＢ内のＩＥＤ１５と一次機器１７との間は直接接続されておらず、これらの間の制御ケーブル８も不要である。
【００９３】
変電所自動化システムＢの機能を考慮すると、変電所自動化システムＢのサーバーコンピュータ１６は、変電所自動化システムＡの特定のＩＥＤ１５のみに制御指令出力できれば良い。よって、必要に応じて変電所自動化システムＡの特定のＩＥＤ１５宛のデータフレーム（制御指令）のみを通過させる装置を、例えば変電所自動化システムＢのサーバーコンピュータ１６側に挿入する事でセキュリティ性を向上させる事ができる。
【００９４】
本実施形態では、変電所自動化システムＡ，Ｂ間で無協調の状態では、変電所自動化システムＡのサーバーコンピュータ１３から当該変電所自動化システムＡのＩＥＤ１５やステーションレベル機器１４へ送信されるデータフレームと変電所自動化システムＢのサーバーコンピュータ１６から変電所自動化システムＡのＩＥＤ１５へ伝送されるデータフレームとが、サーバーコンピュータ１３側のネットワークタップ７上で衝突する可能性が出てくる。
【００９５】
そこで、本実施形態では、変電所自動化システムＢのサーバーコンピュータ１６は、変電所自動化システムＡのサーバーコンピュータ１３に対してネットワークタップ分岐線９を介して制御信号を送信する前に、ネットワークタップ分岐線９とは別系統で変電所自動化システムＡのサーバーコンピュータ１３に対して制御権要求を発する事で、変電所自動化システムＡのサーバーコンピュータ１３からのデータフレームの送信禁止を要求し、制御権を取得後に制御指令を変電所自動化システムＡのサーバーコンピュータ１３に出力する。このようにして、サーバーコンピュータ１３側のネットワークタップ７上でのデータフレームの衝突を回避できる。
【００９６】
通常、変電所自動化システムＡ，Ｂから一次機器１７への制御指令は、事故時の遮断器開放指令のような緊急信号では無いため、制御権の授受は変電所自動化システム間で無電圧接点あるいはルーターを介した通信で行なっても応答時間にかかる問題は無い。
【００９７】
次に、図１２に示した構成の変電所自動化システムの動作について説明する。変電所自動化システムＡのＩＥＤ１５からのデータフレームの送信については、第４の実施形態と同様である。図１３は、第５の実施形態における変電所自動化システムＡによる制御指令の伝送のための処理動作の一例を示すフローチャートである。  
変電所自動化システムＡのサーバーコンピュータ１３は、ネットワークタップ分岐線９とは別系統の接続線を介して変電所自動化システムＢのサーバーコンピュータ１６にアクセスすることで、一次機器１７の操作に関する制御権を参照する（ステップＳ７１）。
【００９８】
この結果、変電所自動化システムＡ側が制御権を有する事をサーバーコンピュータ１３が確認した場合は、このサーバーコンピュータ１３は、変電所自動化システムＡの制御対象のＩＥＤ１５への制御指令を、サーバーコンピュータ側送信線５ｂを介して出力する（ステップＳ７２）。
【００９９】
この出力された制御指令は、この送信線５ｂの接続先のステーションＬＡＮ１２内のＬＡＮスイッチ３、および、当該ステーションＬＡＮ１２内の前述した制御対象のＩＥＤ１５に接続されるＬＡＮスイッチ３を介して、当該ＬＡＮスイッチ３に接続される制御対象のＩＥＤ１５に伝送される（ステップＳ７３）。
【０１００】
図１４は、第５の実施形態における変電所自動化システムＢから変電所自動化システムＡへの制御指令の伝送のための処理動作の一例を示すフローチャートである。  
変電所自動化システムＢのサーバーコンピュータ１６は、ネットワークタップ分岐線９とは別系統の接続線を介して変電所自動化システムＡのサーバーコンピュータ１３にアクセスすることで、一次機器１７の操作に関する制御権を参照する（ステップＳ８１）。
【０１０１】
この結果、変電所自動化システムＢ側が制御権を有する事をサーバーコンピュータ１６が確認した場合は、このサーバーコンピュータ１６は、変電所自動化システムＡの制御対象のＩＥＤ１５への制御指令を、変電所自動化システムＢ内のＬＡＮスイッチ３を介して出力する（ステップＳ８２）。
【０１０２】
この出力された制御指令は、ネットワークタップ分岐線９を介して、サーバーコンピュータ側送信線５ｂに挿入されるネットワークタップ７が受信する。この受信したネットワークタップ７は、サーバーコンピュータ側送信線５ｂに接続されるＬＡＮスイッチ３、制御対象のＩＥＤ１５に接続されるＬＡＮスイッチ３を介して、接続先である制御対象のＩＥＤ１５に制御指令を伝送する（ステップＳ８３）。
【０１０３】
以上のように、第５の実施形態によれば、第２の実施形態と比較して、１個のネットワークタップ７を変電所自動化システムＡのサーバーコンピュータ１３とＬＡＮスイッチ３との間に挿入すれば、変電所自動化システムＢから変電所自動化システムＡへの制御指令を伝送する事ができるので、ネットワークタップ７およびネットワークタップ分岐線９の個数を削減した上で、第２の実施形態と同様の効果を得ることができる。ただし、変電所自動化システムＡのステーションＬＡＮ１２内の装置は使用可能でなければならない。また、第２の実施形態と同じく、変電所自動化システムＢから変電所自動化システムＡのＩＥＤ１５との間の制御ケーブル８は不要である。
【０１０４】
また、この第５の実施形態において、変電所自動化システムＡのサーバーコンピュータ１３とＬＡＮスイッチ３との間から変電所自動化システムＢへの通信方式を、第３の実施形態で説明したように無線方式に置き換えてもよい。
【０１０５】
（第６の実施形態）
次に、第６の実施形態について説明する。  
図１５は、第６の実施形態における変電所自動化システムの構成例を示す図である。  
この実施形態は、第３の実施形態における変電所自動化システムＡで用いたネットワークタップ７を、ポートミラーリング機能付きのＬＡＮスイッチ３ａで置き換えたものである。このＬＡＮスイッチ３ａは、ある宛先を有するポートを通過する全てのデータフレームを同じデータを生成して、この生成したデータを、ミラーポート３ｂから先の別の機器へも出力するもので、通常、ＬＡＮスイッチを通過するトラフィックの監視に使用される。
【０１０６】
本実施形態では、ＩＥＤ１５からステーションＬＡＮ１２のＬＡＮスイッチ３までの間の送信線５ａおよび受信線６ａにポートミラーリング機能付きのＬＡＮスイッチ３ａを挿入しており、このポートミラーリング機能付きのＬＡＮスイッチ３ａのミラーポート３ｂから変電所自動化システムＢへの接続線を引き出す構成としている。
【０１０７】
このような構成とする事により、変電所自動化システムＢのサーバーコンピュータ１６は、変電所自動化システムＡのＩＥＤ１５が当該変電所自動化システムＡのサーバーコンピュータ１３やステーションレベル機器１４との間で伝送している情報を受信する事が可能である。
【０１０８】
また、変電所自動化システムＢのＬＡＮスイッチ３は、ポートミラーリング機能付きのＬＡＮスイッチ３ａのミラーポート３ｂからのデータフレームを受信する機能のみでなく、ポートミラーリング機能付きのＬＡＮスイッチ３ａのミラーポート３ｂからデータフレームを伝送出来る設定機能を持つＬＡＮスイッチ３を適用するか、或いは、ＬＡＮスイッチ３に変電所自動化システムＢからの制御コマンドを接続するポートを設ける構成としている。このような構成とすることで、変電所自動化システムＢから変電所自動化システムＡへの制御指令などを伝送する事ができる。
【０１０９】
また、ＬＡＮスイッチ３ａの内部では、接続先のＩＥＤ１５へのデータフレームが同時に複数到着しても衝突が発生しないように制御されるため、第２の実施形態で説明したような制御指令送出タイミングでの変電所自動化システムＡ，Ｂ間のクリティカルな協調制御は不要となる。
【０１１０】
ただし、ＩＥＤ１５は複数の変電所自動化システムから受信する制御コマンドを実行する事ができるタイプとしている。具体的には、ＩＥＤ１５は、複数のサーバーコンピュータのそれぞれに相当するIPアドレスを認識する機能を有する。
【０１１１】
次に、図１５に示した構成の変電所自動化システムの動作について説明する。図１６は、第６の実施形態における変電所自動化システムＡから変電所自動化システムＢへの伝送のための処理動作および通信異常に伴う処理動作の一例を示すフローチャートである。  
変電所自動化システムＡのＩＥＤ１５のうち、ミラーリング機能付きのＬＡＮスイッチ３ａに接続されるＩＥＤ１５は、当該システム内のステーションＬＡＮ１２に属する機器へ向けてデータフレームを送信する（ステップＳ９１）。このように伝送されるデータフレームは、送信元のＩＥＤ１５からステーションＬＡＮ１２のＬＡＮスイッチ３までの間の送信線５ａおよび受信線６ａに挿入される、ミラーリング機能付きのＬＡＮスイッチ３ａのミラーポート３ｂから分岐した先の変電所自動化システムＢにも同時に伝送される（ステップＳ９２）。
【０１１２】
このデータフレームには、本来の宛先である変電所自動化システムＡのステーションＬＡＮ１２に属する機器のアドレスが設定されている。変電所自動化システムＢの受信口に有るＬＡＮスイッチ３は、このアドレスを認識して受信し、変電所自動化システムＢのサーバーコンピュータ１６へデータフレームを取り込めるようになっている（ステップＳ９３，Ｓ９４）。同様の仕組みはＬＡＮアナライザ等で実現される。したがって、第１の実施形態と同様に、変電所自動化システムＢと一次機器１７との間の監視機能用の制御ケーブル８を設ける必要なしに、変電所自動化システムＢは一次機器１７の監視制御情報を得ることができる。
【０１１３】
そして、変電所自動化システムＡのＩＥＤ１５とサーバーコンピュータ１３間の接続が確立している間は、変電所自動化システムＢのサーバーコンピュータ１６は、変電所自動化システムＡのＩＥＤ１５からの観測できるデータの中から変電所の監視制御情報のみを抽出して活用する（ステップＳ９５）。通信異常に伴う処理動作は、第１の実施形態で説明したステップＳ６からＳ９と同様である。
【０１１４】
図１７は、第６の実施形態における変電所自動化システムＢから変電所自動化システムＡへの制御指令の伝送のための処理動作の一例を示すフローチャートである。  
変電所自動化システムＢのサーバーコンピュータ１６は、変電所自動化システムＡの制御対象のＩＥＤ１５への制御指令を、変電所自動化システムＢ内のＬＡＮスイッチ３を介して出力する（ステップＳ１０１）。なお、第２の実施形態で説明したような、サーバーコンピュータ１６による、一次機器１７の操作のための制御指令の出力タイミングに関する制御権の参照は不要である。
【０１１５】
この出力された制御指令は、変電所自動化システムＢ，Ａ間のＬＡＮ伝送路を介して、制御対象のＩＥＤ１５とステーションＬＡＮ１２のＬＡＮスイッチ３との間の送信線５ａおよび受信線６ａに挿入される、ミラーリング機能付きのＬＡＮスイッチ３ａのミラーポート３ｂが受信する。この受信したＬＡＮスイッチ３ａは、接続先である制御対象のＩＥＤ１５に制御指令を伝送する（ステップＳ１０２）。
【０１１６】
以上のように、第６の実施形態によれば、第２の実施形態で得られた効果と同等の効果が得られる。また、複数の変電所自動化システム間の伝送データフレームのタイミング協調をミラーポート３ｂ付きＬＡＮスイッチ３が制御するため、第２の実施形態で説明したような、変電所自動化システムＡ，Ｂ間での制御指令の出力タイミングに関する協調制御を軽減でき、高精度の制御権の相互監視等は不要となる。
【０１１７】
（第７の実施形態）
次に、第７の実施形態について説明する。  
図１８は、第７の実施形態における変電所自動化システムの構成例を示す図である。  
第６の実施形態では、ポートミラーリング機能を有するＬＡＮスイッチ３ａを変電所自動化システムＡのＩＥＤ１５とステーションＬＡＮ１２のＬＡＮスイッチ３との間に設ける構成としたが、本実施形態では、変電所自動化システムＡのＩＥＤ１５とステーションＬＡＮ１２のＬＡＮスイッチ３との間にはＬＡＮスイッチ３ａを設けず、その代わりに、ステーションＬＡＮ１２内のＬＡＮスイッチ３のうち、変電所自動化システムＡのＩＥＤ１５と接続するためのＬＡＮスイッチ３を、ポートミラーリング機能を有するＬＡＮスイッチ３ａに置き換えて、このＬＡＮスイッチ３ａのミラーポート３ｂから変電所自動化システムＢへの接続線を引き出す事により、変電所自動化システムＢへ変電所自動化システムＡのＩＥＤ１５の情報を伝送する構成としている。
【０１１８】
また、本実施形態では、変電所自動化システムＢのサーバーコンピュータ１６から変電所自動化システムＡのＩＥＤ１５への制御指令を伝送するために、変電所自動化システムＡのステーションＬＡＮ１２内のポートミラーリング機能を有するＬＡＮスイッチ３ａのミラーポート３ｂを介してデータフレームをＩＥＤ１５に伝送する設定機能を有する構成とするか、前述したＬＡＮスイッチ３ａに変電所自動化システムＢからの制御指令を受信するためのポートを別途設ける構成としている。
【０１１９】
また、変電所自動化システムＢに対するセキュリティ性を考慮する場合、変電所自動化システムＢのサーバーコンピュータ１６からのアクセス対象である、変電所自動化システムＡのＩＥＤ１５が接続されるＬＡＮスイッチ３における、当該ＩＥＤ１５が接続されるポートに限定してモニターポートを設定する。
【０１２０】
次に、図１８に示した構成の変電所自動化システムの動作について説明する。図１９は、第７の実施形態における変電所自動化システムＡから変電所自動化システムＢへの伝送のための処理動作および通信異常に伴う処理動作の一例を示すフローチャートである。  
変電所自動化システムＡのＩＥＤ１５のうち、ミラーリング機能付きのＬＡＮスイッチ３ａに接続されるＩＥＤ１５は、当該システム内のステーションＬＡＮ１２に属する機器へ向けてデータフレームを送信する（ステップＳ１１１）。このように伝送されるデータフレームは、送信元のＩＥＤ１５に接続される、ステーションＬＡＮ１２内のミラーリング機能付きのＬＡＮスイッチ３ａのミラーポート３ｂから分岐した先の変電所自動化システムＢにも同時に伝送される（ステップＳ１１２）。
【０１２１】
このデータフレームには、本来の宛先である変電所自動化システムＡのステーションＬＡＮ１２に属する機器のアドレスが設定されている。変電所自動化システムＢの受信口に有るＬＡＮスイッチ３は、このアドレスを認識して受信し、変電所自動化システムＢのサーバーコンピュータ１６へデータフレームを取り込めるようになっている（ステップＳ１１３，Ｓ１１４）。同様の仕組みはＬＡＮアナライザ等で実現される。したがって、第１の実施形態と同様に、変電所自動化システムＢと一次機器１７との間の監視機能用の制御ケーブル８を設ける必要なしに、変電所自動化システムＢは一次機器１７の監視制御情報を得ることができる。
【０１２２】
そして、変電所自動化システムＡのＩＥＤ１５とサーバーコンピュータ１３間の接続が確立している間は、変電所自動化システムＢのサーバーコンピュータ１６は、変電所自動化システムＡのＩＥＤ１５からの観測できるデータの中から変電所の監視制御情報のみを抽出して活用する（ステップＳ１１５）。通信異常に伴う処理動作は、第１の実施形態で説明したステップＳ６からＳ９と同様である。
【０１２３】
図２０は、第７の実施形態における変電所自動化システムＢから変電所自動化システムＡへの制御指令の伝送のための処理動作の一例を示すフローチャートである。  
変電所自動化システムＢのサーバーコンピュータ１６は、変電所自動化システムＡの制御対象のＩＥＤ１５への制御指令を、変電所自動化システムＢ内のＬＡＮスイッチ３を介して出力する（ステップＳ１２１）。なお、第２の実施形態で説明したような、サーバーコンピュータ１６による、一次機器１７の操作に関する制御権の参照は不要である。
【０１２４】
この出力された制御指令は、ＬＡＮケーブルを介して、制御対象のＩＥＤ１５に接続される、ステーションＬＡＮ１２内のミラーリング機能付きのＬＡＮスイッチ３ａのミラーポート３ｂが受信する。この受信したＬＡＮスイッチ３ａは、接続先である制御対象のＩＥＤ１５に制御指令を伝送する（ステップＳ１２２）。
【０１２５】
以上のように、第７の実施形態によれば、変電所自動化システムＡのＩＥＤ１５が接続されるＬＡＮスイッチは使用可能としておく必要が有り、変電所自動化システムＡへの依存度は高くなっているが、変電所自動化システムＡのＩＥＤ１５とＬＡＮスイッチとの間に追加のハードウェアを挿入する事無く、第６の実施形態と同等の効果が得られるので、第６の実施形態と比較して、効果を損なわずにハードウェアの個数を削減する事ができる。
【０１２６】
（第８の実施形態）
次に、第８の実施形態について説明する。  
図２１は、第８の実施形態における変電所自動化システムの構成例を示す図である。  
本実施形態では、第５の実施形態で説明した、変電所自動化システムＡのサーバーコンピュータ１３からみた送信線５ｂや受信線６ｂにネットワークタップ７を挿入する代わりに、変電所自動化システムＡのサーバーコンピュータ１３とステーションＬＡＮ１２内の所定のＬＡＮスイッチ３との間にポートミラーリング機能付きのＬＡＮスイッチ３ａを挿入した構成としている。
【０１２７】
このＬＡＮスイッチ３ａのミラーポート３ｂは、変電所自動化システムＡ，Ｂ間のＬＡＮ伝送路を介して、変電所自動化システムＢの所定のＬＡＮスイッチ３に接続される。このような構成とする事で、第５の実施形態と同様に、変電所自動化システムＡのサーバーコンピュータ１３に伝送されてくる全てのデータフレームを受信する事ができる。
【０１２８】
また、このＬＡＮスイッチ３ａを介して変電所自動化システムＢからの制御指令を変電所自動化システムＡ内に伝送するには、第７の実施形態で説明したように、変電所自動化システムＡのステーションＬＡＮ１２内のポートミラーリング機能を有するＬＡＮスイッチ３ａのミラーポート３ｂを介してデータフレームをＩＥＤ１５に伝送する設定機能を有する構成とするか、前述したＬＡＮスイッチ３ａに変電所自動化システムＢからの制御指令を受信するためのポートを別途設ける構成とする。
【０１２９】
次に、図２１に示した構成の変電所自動化システムの動作について説明する。図２２は、第８の実施形態における変電所自動化システムＡから変電所自動化システムＢへの伝送のための処理動作および通信異常に伴う処理動作の一例を示すフローチャートである。  
変電所自動化システムＡのＩＥＤ１５は、当該システム内のサーバーコンピュータ１３へ向けてデータフレームを送信する（ステップＳ１３１）。このように伝送されるデータフレームは、サーバーコンピュータ１３とステーションＬＡＮ１２内の所定のＬＡＮスイッチ３との間に挿入される、ポートミラーリング機能付きのＬＡＮスイッチ３ａのミラーポート３ｂから分岐した先の変電所自動化システムＢにも同時に伝送される（ステップＳ１３２）。
【０１３０】
このデータフレームには、本来の宛先である変電所自動化システムＡのサーバーコンピュータ１３のアドレスが設定されている。変電所自動化システムＢの受信口に有るＬＡＮスイッチ３は、このアドレスを認識して受信し、変電所自動化システムＢのサーバーコンピュータ１６へデータフレームを取り込めるようになっている（ステップＳ１３３，Ｓ１３４）。同様の仕組みはＬＡＮアナライザ等で実現される。したがって、第１の実施形態と同様に、変電所自動化システムＢと一次機器１７との間の監視機能用の制御ケーブル８を設ける必要なしに、変電所自動化システムＢは一次機器１７の監視制御情報を得ることができる。
【０１３１】
また、第１の実施形態で説明したように、変電所自動化システムＡのＩＥＤ１５とサーバーコンピュータ１３間の接続が確立している間は、変電所自動化システムＢのサーバーコンピュータ１６は、変電所自動化システムＡのＩＥＤ１５からの観測できるデータの中から変電所の監視制御情報のみを抽出して活用する（ステップＳ１３５）。通信異常に伴う処理動作は、第１の実施形態で説明したステップＳ６からＳ９と同様である。
【０１３２】
図２３は、第８の実施形態における変電所自動化システムＢから変電所自動化システムＡへの制御指令の伝送のための処理動作の一例を示すフローチャートである。  
変電所自動化システムＢのサーバーコンピュータ１６は、変電所自動化システムＡの制御対象のＩＥＤ１５への制御指令を、変電所自動化システムＢ内のＬＡＮスイッチ３を介して出力する（ステップＳ１４１）。なお、第５の実施形態で説明したような、サーバーコンピュータ１６による、一次機器１７の操作に関する制御権の参照は不要である。
【０１３３】
この出力された制御指令は、変電所自動化システムＡ，Ｂ間の接続線を介して、変電所自動化システムＡのサーバーコンピュータ１３−ＬＡＮスイッチ３間のポートミラーリング機能付きのＬＡＮスイッチ３ａのミラーポート３ｂが受信する。このＬＡＮスイッチ３ａは、受信した制御指令を、接続先のＬＡＮスイッチ、制御対象のＩＥＤ１５に接続されるＬＡＮスイッチ３を介して、接続先である制御対象のＩＥＤ１５に伝送する（ステップＳ１４２）。
【０１３４】
以上のように、第８の実施形態によれば、ミラーリング機能付きのＬＡＮスイッチ３ａを変電所自動化システムＡのサーバーコンピュータ１３とステーションＬＡＮ１２との間に設けたので、第６の実施形態と同等の効果が得られるようにした上で、変電所自動化システムＡのＩＥＤ１５の個数に関わらず、ミラーリング機能付きのＬＡＮスイッチ３ａの数を１つにすることができ、ハードウェアの個数を削減できる。この効果は、変電所自動化システムＡのＩＥＤ１５の個数が多いほど顕著となる。また、複数の変電所自動化システム間の伝送データフレームのタイミング協調をミラーポート３ｂ付きＬＡＮスイッチ３が制御するため、第６、第７の実施形態と同様に、変電所自動化システムＡ、Ｂ間での制御指令の出力タイミングに関する協調を軽減でき、高精度の制御権の相互監視は不要となる。
【０１３５】
（第９の実施形態）
次に、第９の実施形態について説明する。  
図２４は、第９の実施形態における変電所自動化システムの構成例を示す図である。  
第８の実施形態では、変電所自動化システムＡのサーバーコンピュータ１３とＬＡＮスイッチ３と間のポートミラーリング機能付きのＬＡＮスイッチ３ａを挿入する構成としたが、本実施形態では、変電所自動化システムＡのサーバーコンピュータ１３とＬＡＮスイッチ３と間にポートミラーリング機能付きのＬＡＮスイッチ３ａを設ける代わりに、変電所自動化システムＡのサーバーコンピュータ１３に直接接続されるＬＡＮスイッチ３をポートミラーリング機能付きのＬＡＮスイッチ３ａに置き換えて、このＬＡＮスイッチ３ａのミラーポート３ｂから変電所自動化システムＢへの接続線を引き出す構成としている。
【０１３６】
次に、図２４に示した構成の変電所自動化システムの動作について説明する。図２５は、第９の実施形態における変電所自動化システムＡから変電所自動化システムＢへの伝送のための処理動作および通信異常に伴う処理動作の一例を示すフローチャートである。  
変電所自動化システムＡのＩＥＤ１５は、当該システム内のサーバーコンピュータ１３へ向けてデータフレームを送信する（ステップＳ１５１）。このように伝送されるデータフレームは、サーバーコンピュータ１３に直接接続される、ポートミラーリング機能付きのＬＡＮスイッチ３ａのミラーポート３ｂから分岐した先の変電所自動化システムＢにも同時に伝送される（ステップＳ１５２）。
【０１３７】
このデータフレームには、本来の宛先である変電所自動化システムＡのサーバーコンピュータ１３のアドレスが設定されている。変電所自動化システムＢの受信口に有るＬＡＮスイッチ３は、このアドレスを認識して受信し、変電所自動化システムＢのサーバーコンピュータ１６へデータフレームを取り込めるようになっている（ステップＳ１５３，Ｓ１５４）。同様の仕組みはＬＡＮアナライザ等で実現される。したがって、第１の実施形態と同様に、変電所自動化システムＢと一次機器１７との間の監視機能用の制御ケーブル８を設ける必要なしに、変電所自動化システムＢは一次機器１７の監視制御情報を得ることができる。
【０１３８】
また、第１の実施形態で説明したように、変電所自動化システムＡのＩＥＤ１５とサーバーコンピュータ１３間の接続が確立している間は、変電所自動化システムＢのサーバーコンピュータ１６は、変電所自動化システムＡのＩＥＤ１５からの観測できるデータの中から変電所の監視制御情報のみを抽出して活用する（ステップＳ１５５）。通信異常に伴う処理動作は、第１の実施形態で説明したステップＳ６からＳ９と同様である。
【０１３９】
このような動作により、第８の実施形態と同様に、変電所自動化システムＡのサーバーコンピュータ１３に伝送されてくる全てのデータフレームを変電所自動化システムＢ側で受信する事が出来る。
【０１４０】
図２６は、第９の実施形態における変電所自動化システムＢから変電所自動化システムＡへの制御指令の伝送のための処理動作の一例を示すフローチャートである。  
変電所自動化システムＢのサーバーコンピュータ１６は、変電所自動化システムＡの制御対象のＩＥＤ１５への制御指令を、変電所自動化システムＢ内のＬＡＮスイッチ３を介して出力する（ステップＳ１６１）。なお、第５の実施形態で説明したような、サーバーコンピュータ１６による、一次機器１７の操作に関する制御権の参照は不要である。
【０１４１】
この出力された制御指令は、変電所自動化システムＡ，Ｂ間の接続線を介して、変電所自動化システムＡのサーバーコンピュータ１３に直接接続される、ポートミラーリング機能付きのＬＡＮスイッチ３ａのミラーポート３ｂが受信する。このＬＡＮスイッチ３ａは、受信した制御指令を、制御対象のＩＥＤ１５に接続されるＬＡＮスイッチ３を介して、接続先である制御対象のＩＥＤ１５に伝送する（ステップＳ１６２）。
【０１４２】
また、第７の実施形態と同様に、変電所自動化システムＢに対するセキュリティ性を考慮する場合、変電所自動化システムＢのサーバーコンピュータ１６からのアクセス対象である、変電所自動化システムＡのＩＥＤ１５の接続されているＬＡＮスイッチ３における、ＩＥＤ１５の接続されているポートに限定してモニターポートを設定する。
【０１４３】
以上のように、第９の実施形態によれば、変電所自動化システムＡのＩＥＤ１５が接続されるＬＡＮスイッチ３は使用可能としておく必要が有り、第７の実施形態と同様に変電所自動化システムＡへの依存度が高くなるが、サーバーコンピュータとＬＡＮスイッチ３間に追加のハードウェアを挿入する事無く、第８の実施形態と同等の効果が得られるので、第８の実施形態と比較して、ハードウェアの個数をさらに削減する事ができる。
【０１４４】
これらの各実施形態によれば、運用上、製造上の性能、効率を向上させることが可能になる変電所自動化システムおよび変電所自動化方法を提供することができる。  
発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
【符号の説明】
【０１４５】
３…ＬＡＮスイッチ、３ａ…ＬＡＮスイッチ（ポートミラーリング機能付き）、３ｂ…ミラーポート、５ａ…全二重通信方式ＬＡＮ伝送路（ＩＥＤ側送信線）、６ａ…全二重通信方式ＬＡＮ伝送路（ＩＥＤ側受信線）、５ｂ…全二重通信方式ＬＡＮ伝送路（サーバーコンピュータ側送信線）、６ｂ…全二重通信方式ＬＡＮ伝送路（サーバーコンピュータ側受信線）、７…ネットワークタップ、８…制御ケーブル、９…ネットワークタップ分岐線、１０…第１の変電所自動化システム、１１…第２の変電所自動化システム、１２…ステーションＬＡＮ、１３…変電所自動化システムＡ内のサーバーコンピュータ、１４…変電所自動化システムＡ内のステーションレベル機器、１５…ＩＥＤ、１６…変電所自動化システムＢ内のサーバーコンピュータ、１７…一次機器（開閉装置）、１８…無線ＬＡＮ親機、１９…無線ＬＡＮ子機、２０…ルーター、７１…一次機器（変圧器）、７２…監視制御境界領域。
【図１】
2013243576.tif 000003
【図２】
2013243576.tif 000004
【図３】
2013243576.tif 000005
【図４】
2013243576.tif 000006
【図５】
2013243576.tif 000007
【図６】
2013243576.tif 000008
【図７】
2013243576.tif 000009
【図８】
2013243576.tif 000010
【図９】
2013243576.tif 000011
【図１０】
2013243576.tif 000012
【図１１】
2013243576.tif 000013
【図１２】
2013243576.tif 000014
【図１３】
2013243576.tif 000015
【図１４】
2013243576.tif 000016
【図１５】
2013243576.tif 000017
【図１６】
2013243576.tif 000018
【図１７】
2013243576.tif 000019
【図１８】
2013243576.tif 000020
【図１９】
2013243576.tif 000021
【図２０】
2013243576.tif 000022
【図２１】
2013243576.tif 000023
【図２２】
2013243576.tif 000024
【図２３】
2013243576.tif 000025
【図２４】
2013243576.tif 000026
【図２５】
2013243576.tif 000027
【図２６】
2013243576.tif 000028
【図２７】
2013243576.tif 000029
【図２８】
2013243576.tif 000030
【図２９】
2013243576.tif 000031